(57)【要約】【課題】従来の鉄塔組立用治具を用いた鉄塔の組立方法は、上記鉄塔組立用治具のブームを高い位置に設置する必要があり、安全性に問題があった。【解決手段】本発明の鉄塔組立用治具を用いた鉄塔の組立方法は、所望の高さまで組み立てられた鉄塔部分の上部に、マストとブームとよりなる鉄塔組立用治具を固定する第一工程と、該鉄塔組立用治具のマストに、下方に延びるせり上げ用マストを固定すると共に、上記鉄塔組立用治具を用いて、上記組み立てられた鉄塔部分の上に、所望の高さの鉄塔部分を組み立てる第二工程と、上記鉄塔組立用治具と上記鉄塔部分との固定を解除すると共に、揚重装置により、上記せり上げ用マストを上昇させて、上記鉄塔組立用治具を所望の高さまで上昇させる第三工程と、上記鉄塔組立用治具を上記鉄塔部分に固定する第四工程と、上記鉄塔組立用治具を用いて、上記組み立てられた鉄塔部分の上に、更に、所望の高さの鉄塔部分を組み立てる第五工程とよりなることを特徴とする。【選択図】  図５
2017203358.tif 000002
【特許請求の範囲】
【請求項１】
所望の高さまで組み立てられた鉄塔部分の上部に、マストとブームとよりなる鉄塔組立用治具を固定する第一工程と、
該鉄塔組立用治具のマストに、下方に延びるせり上げ用マストを固定すると共に、上記鉄塔組立用治具を用いて、上記組み立てられた鉄塔部分の上に、所望の高さの鉄塔部分を組み立てる第二工程と、
上記鉄塔組立用治具と上記鉄塔部分との固定を解除すると共に、揚重装置により、上記せり上げ用マストを上昇させて、上記鉄塔組立用治具を所望の高さまで上昇させる第三工程と、
上記鉄塔組立用治具を上記鉄塔部分に固定する第四工程と、
上記鉄塔組立用治具を用いて、上記組み立てられた鉄塔部分の上に、更に、所望の高さの鉄塔部分を組み立てる第五工程とよりなることを特徴とする鉄塔組立用治具を用いた鉄塔の組立方法。
【請求項２】
所望の高さまで組み立てられた鉄塔部分の上部に固定した、上下に所望の距離離間した２つのリング状のマストガイドを、マストとブームとよりなる鉄塔組立用治具のマストに挿通させると共に、上記２つのマストガイドのうち少なくとも一つのマストガイドを上記マストに固定させることにより、上記鉄塔部分の上部に上記鉄塔組立用治具を固定する第一工程と、
該鉄塔組立用治具のマストに、下方に延びるせり上げ用マストを固定すると共に、上記鉄塔組立用治具を用いて、上記組み立てられた鉄塔部分の上に、所望の高さの鉄塔部分を組み立てる第二工程と、
上記鉄塔組立用治具のマストと上記マストガイドとの固定を解除すると共に、揚重装置により、上記せり上げ用マストを上昇させて、鉄塔に固定された上から２つの上記マストガイドによりマスト及びせり上げ用マストをガイドさせて、上記鉄塔組立用治具を所望の高さまで上昇させる第三工程と、
上記鉄塔に固定されたマストガイドのうちの最上部のマストガイドから更に所望の距離離間した上方の上記マストを挿通する更に上側の他のマストガイドを鉄塔部分に固定すると共に、該最上部のマストガイドと該更に上側の他のマストガイドのうち少なくとも一つのマストガイドを、上記マストに固定することにより、上記鉄塔組立用治具を上記鉄塔部分に固定する第四工程と、
上記鉄塔組立用治具を用いて、上記組み立てられた鉄塔部分の上に、更に、所望の高さの鉄塔部分を組み立てる第五工程とよりなることを特徴とする鉄塔組立用治具を用いた鉄塔の組立方法。
【請求項３】
上記第三工程から上記第五工程までを１又は複数回繰り返す第六工程を更に有することを特徴とする請求項１又は２記載の鉄塔組立用治具を用いた鉄塔の組立方法。
【請求項４】
所望の高さの鉄塔部分を組み立てる毎に、揚重装置により上昇させられて、上記組み立てられた鉄塔部分の上に更に所望の高さの鉄塔部分を組み立てる、マストとブームとよりなる鉄塔組立用治具の該マストに固定される、下方に延びるせり上げ用マストであって、
該せり上げ用マストに上記揚重装置が接続されて、該揚重装置により、上記せり上げ用マストを上昇させることにより、上記鉄塔組立用治具が上昇することを特徴とする鉄塔組立用治具のせり上げ用マスト。
【請求項５】
上記せり上げ用マストは、筒状の棒体よりなり、上端から下端に向かって上下方向に延びる、内部と外部が連通するスリットが形成されていることを特徴とする請求項４記載の鉄塔組立用治具のせり上げ用マスト。
【発明の詳細な説明】
【技術分野】
【０００１】
本発明は、鉄塔組立用治具を用いた鉄塔の組立方法及び鉄塔組立用治具に固定されるせり上げ用マスト、特に、鉄塔設置型の鉄塔組立用治具を順次上昇させながら、一定の単位（節）毎に鉄塔部分を上方に向かって組み立てる鉄塔の組立方法及び、鉄塔組立用治具のせり上げ用マストに関するものである。
【背景技術】
【０００２】
従来、鉄塔を組み立てる方法として、最初は、地上に設置したジブクレーンなどにより、例えば、地上から２節目（２パネル目）までの鉄塔部分を組み立て、次に、該２節目まで組み立てられた鉄塔部分内に、マストとブームとからなる鉄塔組立用デリックなどの鉄塔組立用治具を組み立てて固定すると共に、該鉄塔組立用治具を用いて、上記２節目の鉄塔部分の上に、新たに３節目の鉄塔部分を組み立て、４節目以降の鉄塔部分の組み立ては、新たに組み立てた鉄塔部分に上記鉄塔組立用治具を上昇させて固定し、この固定した鉄塔組立用治具により、更に上の鉄塔部分を組み立てて、これを１節毎、繰り返すことにより、上方に向かって鉄塔を組み立てる方法がある。
【０００３】
図１３は、上記従来の鉄塔設置型の鉄塔組立用治具を設置した、組立途中の鉄塔を示し、１は、組立途中の鉄塔であり、該鉄塔１は、地上に設置したジブクレーン（図示せず）などにより、例えば、地上から１節目の鉄塔部分１ａと、２節目の鉄塔部分１ｂまで組み立てられている。
【０００４】
なお、上記一定の単位（節）とは、任意の大きさの鉄塔部分を示し、例えば、１パネル分の大きさや２パネル分の大きさをいう。
【０００５】
２は、上記鉄塔１の上部の２節目の鉄塔部分１ｂ内の中心部に、地上から浮上した状態で固定された鉄塔組立用デリックなどの従来の鉄塔組立用治具を示し、該鉄塔組立用治具２は、マスト３と、該マスト３の上部に傾動自在に設けられたブーム４と、上記マスト３の下端に固定されたマスト基台５と、該マスト基台５から所望の距離離間した上方で上記マスト３に挿通されるリング状の２つの下側マストガイド６と上側マストガイド７とよりなる。
【０００６】
また、上記マスト基台５は、略水平面に放射状に張架された固定用ワイヤー８を介して、上記１節目の鉄塔部分１ａの上部（或いは、上記２節目の鉄塔部分１ｂの下部）に固定され、また、上記２つのマストガイド６，７は、それぞれ略水平面に放射状に張架された固定用ワイヤー９、１０を介して、上記鉄塔部分１ｂの上部に固定される。
【０００７】
そして、上記マスト３は、該マスト３の下端に固定されたマスト基台５と、該マスト基台５から所望の距離離間した上方で挿通されているマストガイド６、７とにより、地面から浮上した状態で支えられるようになる。
【０００８】
次に、上記鉄塔組立用治具２を用いた３節目以降の鉄塔部分の組立方法を説明する。
【０００９】
まず、図１４に示すように、上記２節目の鉄塔部分１ｂに固定された鉄塔組立用治具２を用いて、３節目の鉄塔部分１ｃを組み立てる。
【００１０】
次に、４節目の鉄塔部分を組み立てるために、図１４及び図１５に示すように、揚重工具１１などの揚重装置を用いて、上記鉄塔組立用治具２を３節目の鉄塔部分１ｃまで上昇させて固定する。
【００１１】
具体的には、図１４に示すように、上記２節目の鉄塔部分１ｂから、上側マストガイド７に固定された固定用ワイヤー１０を取り外し、そして、上記マスト３に挿通されている上側マストガイド７を、上記下側マストガイド６から所望の距離離間した上方である上記３節目の鉄塔部分１ｃの上部まで移動させると共に、上記上側マストガイド７に固定された固定用ワイヤー１０を、略水平面に放射状に張架して３節目の鉄塔部分１ｃの上部に固定することにより、上記上側マストガイド７を上記３節目の鉄塔部分１ｃで上記鉄塔１に固定するようにする。
【００１２】
なお、上記所望の距離とは、上記２つのマストガイド６、７により上記マストを安定して支持及び上昇できる距離であり、例えば、１節の鉄塔部分の高さに相当する距離であるが、これより短い距離であってもよい。
【００１３】
そして、例えば、上記鉄塔１の３節目の鉄塔部分１ｃの上部に揚重工具１１を固定すると共に、該揚重工具１１の引き上げワイヤー１１ａの先端を上記マスト基台５に固定して、該揚重工具１１により上記マスト３を吊下げられる状態とする。
【００１４】
次に、上記マスト基台５及び鉄塔１から固定用ワイヤー８を取り外し、図１５に示すように、上記揚重工具１１により上記マスト３を、上記マスト３のマスト基台５が上記下側マストガイド６の下端に位置するまで上昇させる。
【００１５】
そして、上記マスト基台５に上記固定用ワイヤー８を固定すると共に、該固定用ワイヤー８を、略水平面に放射状に張架して２節目の鉄塔部分１ｂの上部に固定することにより、上記マスト基台５を、上記２節目の鉄塔部分１ｂの上部で鉄塔１に固定するようにする。
【００１６】
また、鉄塔１から、上記下側マストガイド６に固定されている固定用ワイヤー９を取り外し、そして、上記マスト３に挿通されている下側マストガイド６を、上記上側マストガイド７の下端に位置するまで上昇させると共に、上記下側マストガイド６に固定された上記固定用ワイヤー９を、略水平面に放射状に張架して３節目の鉄塔部分１ｃの上部に固定することにより、上記下側マストガイド６を、上記３節目の鉄塔部分１ｃの上部で鉄塔１に固定するようにする。
【００１７】
これにより、上記鉄塔組立用治具２は、上記３節目の鉄塔部分１ｃの中心部分に固定され、また、上記マスト３は、下端のマスト基台５と、該マスト基台５から所望の距離離間した上方で挿通されているマストガイド６，７とにより、支えられるようになる。
【００１８】
そして、上記鉄塔組立用治具２を用いて、４節目の鉄塔部分を組み立てるようにする。
【００１９】
次に、５節目の鉄塔部分を組み立てるために、上述した方法により、３節目の鉄塔部分１ｃに固定されていた上記鉄塔組立用治具２を、４節目の鉄塔部分まで上昇させて固定するようにし、該固定された鉄塔組立用治具２を用いて５節目の鉄塔部分を組み立て、６節目の鉄塔部分以降も順次これを繰り返して、鉄塔を上方に組み立てていくようにする。
【先行技術文献】
【特許文献】
【００２０】
【特許文献１】特開２００９−１３３１３９号公報
【発明の概要】
【発明が解決しようとする課題】
【００２１】
しかしながら、上記従来の鉄塔組立用治具においては、マスト３を上昇させる前に、上記上側マストガイド７を、図１３から図１４に示すように、上記下側マストガイド６から所望の距離離間した上方に位置させる必要がある。
【００２２】
そのため、図１３に示すように、マスト３に固定されるブーム４の位置は、後に上側マストガイド７が上昇して固定される位置よりも上方に設ける必要があるため、該ブームの４は、鉄塔部分の上端よりもｈだけ高い場所に位置させる必要があり、安全性に欠けるという問題点があった。
【００２３】
本発明は、ブームを低い位置に設置できるようにして、上記問題点を解消しようとするものである。
【課題を解決するための手段】
【００２４】
本発明の鉄塔組立用治具を用いた鉄塔の組立方法は、所望の高さまで組み立てられた鉄塔部分の上部に、マストとブームとよりなる鉄塔組立用治具を固定する第一工程と、該鉄塔組立用治具のマストに、下方に延びるせり上げ用マストを固定すると共に、上記鉄塔組立用治具を用いて、上記組み立てられた鉄塔部分の上に、所望の高さの鉄塔部分を組み立てる第二工程と、上記鉄塔組立用治具と上記鉄塔部分との固定を解除すると共に、揚重装置により、上記せり上げ用マストを上昇させて、上記鉄塔組立用治具を所望の高さまで上昇させる第三工程と、上記鉄塔組立用治具を上記鉄塔部分に固定する第四工程と、上記鉄塔組立用治具を用いて、上記組み立てられた鉄塔部分の上に、更に、所望の高さの鉄塔部分を組み立てる第五工程とよりなることを特徴とする。
【００２５】
また、本発明の鉄塔組立用治具を用いた鉄塔の組立方法は、所望の高さまで組み立てられた鉄塔部分の上部に固定した、上下に所望の距離離間した２つのリング状のマストガイドを、マストとブームとよりなる鉄塔組立用治具のマストに挿通させると共に、上記２つのマストガイドのうち少なくとも一つのマストガイドを上記マストに固定させることにより、上記鉄塔部分の上部に上記鉄塔組立用治具を固定する第一工程と、該鉄塔組立用治具のマストに、下方に延びるせり上げ用マストを固定すると共に、上記鉄塔組立用治具を用いて、上記組み立てられた鉄塔部分の上に、所望の高さの鉄塔部分を組み立てる第二工程と、上記鉄塔組立用治具のマストと上記マストガイドとの固定を解除すると共に、揚重装置により、上記せり上げ用マストを上昇させて、鉄塔に固定された上から２つの上記マストガイドによりマスト及びせり上げ用マストをガイドさせて、上記鉄塔組立用治具を所望の高さまで上昇させる第三工程と、上記鉄塔に固定されたマストガイドのうちの最上部のマストガイドから更に所望の距離離間した上方の上記マストを挿通する更に上側の他のマストガイドを鉄塔部分に固定すると共に、該最上部のマストガイドと該更に上側の他のマストガイドのうち少なくとも一つのマストガイドを、上記マストに固定することにより、上記鉄塔組立用治具を上記鉄塔部分に固定する第四工程と、上記鉄塔組立用治具を用いて、上記組み立てられた鉄塔部分の上に、更に、所望の高さの鉄塔部分を組み立てる第五工程とよりなることを特徴とする。
【００２６】
また、上記第三工程から上記第五工程までを１又は複数回繰り返す第六工程を更に有することを特徴とする。
【００２７】
また、本発明の鉄塔組立用治具のせり上げ用マストは、所望の高さの鉄塔部分を組み立てる毎に、揚重装置により上昇させられて、上記組み立てられた鉄塔部分の上に更に所望の高さの鉄塔部分を組み立てる、マストとブームとよりなる鉄塔組立用治具の該マストに固定される、下方に延びるせり上げ用マストであって、該せり上げ用マストに上記揚重装置が接続されて、該揚重装置により、上記せり上げ用マストを上昇させることにより、上記鉄塔組立用治具が上昇することを特徴とする。
【００２８】
また、上記せり上げ用マストは、筒状の棒体よりなり、上端から下端に向かって上下方向に延びる、内部と外部が連通するスリットが形成されていることを特徴とする。
【発明の効果】
【００２９】
本発明の鉄塔組立用治具によれば、せり上げ用マストを用いることにより、鉄塔部分に固定する鉄塔組立用治具のブームを高い位置に設置する必要がないので、鉄塔組立に際し、安全性を高めることができる。
【００３０】
また、筒状のせり上げ用マストには、スリットが設けられているので、マストへの取り付けが容易となる。
【図面の簡単な説明】
【００３１】
【図１】本発明の鉄塔組立用治具を用いた鉄塔の組立方法の説明図である。
【図２】本発明の鉄塔組立用治具を用いた鉄塔の組立方法の説明図である。
【図３】本発明の鉄塔組立用治具を用いた鉄塔の組立方法の説明図である。
【図４】本発明の鉄塔組立用治具を用いた鉄塔の組立方法の説明図である。
【図５】本発明の鉄塔組立用治具を用いた鉄塔の組立方法の説明図である。
【図６】本発明のせり上げ用マストの縦断断面図である。
【図７】本発明の鉄塔組立用治具を用いた鉄塔の組立方法の説明図である。
【図８】本発明の鉄塔組立用治具を用いた鉄塔の組立方法の説明図である。
【図９】本発明の鉄塔組立用治具を用いた鉄塔の組立方法の説明図である。
【図１０】本発明の鉄塔組立用治具を用いた鉄塔の組立方法の説明図である。
【図１１】本発明の鉄塔組立用治具を用いた鉄塔の組立方法の説明図である。
【図１２】本発明の鉄塔組立用治具を用いた鉄塔の組立方法の説明図である。
【図１３】従来の鉄塔組立用治具を用いた鉄塔の組立方法の説明図である。
【図１４】従来の鉄塔組立用治具を用いた鉄塔の組立方法の説明図である。
【図１５】従来の鉄塔組立用治具を用いた鉄塔の組立方法の説明図である。
【発明を実施するための形態】
【００３２】
以下図面によって本発明の実施例を説明する。
【実施例１】
【００３３】
（１節目、２節目の鉄塔部分の組立工程）
【００３４】
図１に示すように、鉄塔１を組み立てるため、まず、地上に設置したジブクレーン１２などを用いて、所望の高さの鉄塔部分、例えば、地上から２節目までの鉄塔部分１ａ、１ｂを組み立てる。
【００３５】
（鉄塔組立用治具の設置工程）
【００３６】
次に、図２に示すように、例えば、上記２節目の鉄塔部分１ｂなどの上記所望の高さまで組み立てられた鉄塔部分の上部の中心部に、鉄塔組立用治具１３を、その下端が地上から離間した状態で、組み立て固定して設置する。
【００３７】
上記鉄塔組立用治具１３は、垂設される筒状の棒状マスト１４と、該マスト１４の上部に傾動自在に設けられたブーム１５と、上記マスト１４の下端部に挿通させると共に該マスト１４を固定させるリング状のマストガイド１６と、該マストガイド１６から所望の距離離間した上方で上記マスト１４に挿通させるリング状のマストガイド１７とよりなる。
【００３８】
なお、上記所望の距離とは、上記２つのマストガイド１６、１７により上記マストを安定して支持できる距離及び、後述するように、上記２つのマストガイド１６、１７に挿通したマスト１４を上昇させる際、安定して上昇できる距離であり、例えば、１節の鉄塔部分の高さに相当する距離であるが、これより短い距離であってもよい。
【００３９】
上記マストガイド１６は、略水平面に放射状に張架された固定用ワイヤー１８を介して、例えば、上記１節目の鉄塔部分１ａの上部（又は上記２節目の鉄塔部分１ｂの下部）に固定され、また、該マストガイド１６は、上記マスト１４に挿通すると共に該マスト１４を固定するようにする。
【００４０】
また、上記マストガイド１７は、略水平面に放射状に張架された固定用ワイヤー１９を介して、例えば、上記２節目の鉄塔部分１ｂの上端部に固定され、また、該マストガイド１７は、上記マスト１４を挿通して該マスト１４を保持するようにする。
【００４１】
そして、上記マスト１４は、該マスト１４の下端に固定された上記マストガイド１６と、該マストガイド１６から所望の距離離間した上方で挿通されたマストガイド１７とにより、該マスト１４の下端が地上から離間した状態で、安定して支えられるようになる。
【００４２】
なお、上記マスト１４を上記マストガイド１６に固定する代わりに、上記マスト１４を上記マストガイド１６及び上記マストガイド１７の少なくとも一つに固定するようにしてもよい。
【００４３】
２０は、上記ブーム１５を、操作ワイヤー２０ａを介して上下動操作する鉄塔外の地上に設置されたウインチを示す。そして、上記操作ワイヤー２０ａは、上記ウインチ２０から延びて、例えば、上記マスト１４の真下に設けられた支点２０ｂを経由して、上記筒状のマスト１４内を貫通し、上記ブーム１５に連結されている。
【００４４】
なお、上記ブーム１５の先端に設けられたフック１５ａを上下動するワイヤー（図示せず）も、上記ウインチ２０を利用して上下動できるようにしてもよく、該ワイヤーも、上記ウインチ２０から延びて、例えば、上記支点２０ｂを経由して、上記筒状マスト１４内を貫通し、上記フック１５ａに連結するようにする。
【００４５】
２１は、補助ガイドであり、該補助ガイド２１は、上記マストガイド１６と上記マストガイド１７間で、上記マスト１４に挿通する共に該マスト１４を固定し、上記２節目の鉄塔部分１ｂの上部に固定された放射状に延びる固定用ワイヤー２２により吊下げられている。なお、上記補助ガイド２１及び固定用ワイヤー２２を省略してもよい。
【００４６】
（せり上げマスト固定工程）
【００４７】
次に、上記２節目の鉄塔部分１ｂに固定された鉄塔組立用治具１３のマスト１４の下端に図３〜図５に示すように、下方に延びるせり上げ用マスト２３を固定する。
【００４８】
なお、上記せり上げ用マスト２３の下端は、地上に接触、或いは地上から離間した状態で取り付けられる。
【００４９】
また、上記せり上げ用マスト２３は、例えば、３つの筒状の棒状マスト素子２３ａ、２３ｂ、２３ｃが連結固定して形成され、図３から図５に示すように、まず、上記マスト１４の下端に上記棒状マスト素子２３ａを固定し、次に、該棒状マスト素子２３ａの下端に上記棒状マスト素子２３ｂを固定し、最後に該棒状マスト素子２３ｂの下端に上記棒状マスト素子２３ｃを固定することにより、上記マスト１４の下端に上記せり上げ用マスト２３を固定するようにする。
【００５０】
また、上記せり上げ用マスト２３には、図６に示すように、上端から下端まで軸方向に延びる内部と外部が連通するスリット２４を有する、断面形状がＣ字状の筒体に形成されている。
【００５１】
そして、かかるスリット２４を有することにより、既に上記鉄塔１に備え付けられた上記操作ワイヤー２０ａ等を挿通して、上記せり上げ用マスト２３を上記マスト１４の下端に固定できるようになる。
【００５２】
なお、上記せり上げ用マスト２３は、３分割したものであるが、分割せずに１本のもの、或いは２分割、４分割以上の棒状マスト素子により構成するようにしてもよい。
【００５３】
次に、上記鉄塔組立用治具１３を用いた３節目以降の鉄塔部分の組立方法を説明する。
【００５４】
（３節目の鉄塔部分の組立工程）
【００５５】
まず、図７に示すように、２節目の鉄塔部分１ｂに固定された上記鉄塔組立用治具１３を用いて、上記鉄塔１の２節目の鉄塔部分１ｂの上に３節目の鉄塔部分１ｃを組み立てる。
【００５６】
（鉄塔組立用治具の２節目から３節目の鉄塔部分への上昇工程）
【００５７】
次に、４節目の鉄塔部分を組み立てるために、図７及び図８に示すように、例えば、上記ウインチ２０などの揚重装置を用いて、２節目の鉄塔部分１ｂに固定された鉄塔組立用治具１３を３節目の鉄塔部分１ｃまで上昇させて固定する。
【００５８】
具体的には、図７に示すように、マスト１４に固定されている全ての上記マストガイド１６、１７、補助ガイド２１とマスト１４との固定を解除し、各マストガイド１６、１７、補助ガイド２１を上記マスト１４に対して挿通状態のみとすると共に、上記せり上げ用マスト２３の下端に、例えば、上記ウインチ２０から延びるせり上げ用ワイヤー２５を固定し、該せり上げ用ワイヤー２５により上記マスト１４を吊下げ状態とする。
【００５９】
なお、上記地面に設置されたウインチ２０のせり上げ用ワイヤー２５は、上記ウインチ２０から延びて、上記マストガイド１６が位置する部分よりも上方（或いは、マスト１４の下端が引き上げられる位置よりも上方）の鉄塔部分に設けられた支点２６を経由して、上記せり上げ用マスト２３の下端に連結固定される。
【００６０】
なお、地上に設置された上記ウインチ２０を用いる代わりに、上記支点２６に、別途ウインチなどの揚重装置（図示せず）を設けて、該揚重装置から延びるせり上げ用ワイヤーを直接、上記せり上げ用マスト２３の下端に連結するようにしてもよい。
【００６１】
なお、予め、上記マストガイド１６、１７のうち上側のマストガイドとなる上記マストガイド１７の上方に、上記マスト１４に挿通すると共に該マスト１４に固定した、更に上側の他のマストガイド２７を設け、また、後に該更に上側の他のマストガイド２７を、上記マストガイド１７から所望の距離離間した上方、例えば、３節目の鉄塔部分１ｃの上部の位置で固定するための固定用ワイヤー２８を弛んだ状態で、上記更に上側の他のマストガイド２７と上記３節目の鉄塔部分１ｃの上部とに固定するようにしてもよい。
【００６２】
そして、図８に示すように、上記せり上げ用マスト２３を上記ウインチ２０を用いて、上記せり上げ用マスト２３の下端が、上記マストガイド１６に位置するまで上昇させるようにする。
【００６３】
そして、上記マスト１４及び上記せり上げ用マスト２３は、上記マストガイド１６と、該マストガイド１６から所望の距離離間して上方で挿通されたマストガイド１７によりガイドされて、安定して上昇するようになる。
【００６４】
そして、上記マスト１４が、上記所望の距離まで上昇した後は、該マスト１４と、上記マストガイド１７とを固定するようにする。
【００６５】
また、上記更に上側の他のマストガイド２７を、上記マストガイド１７から所望の距離離間した上方で、上記マスト１４に挿通させると共に、上記固定用ワイヤー２８を緊張させて、これにより、上記マストガイド２７を、略水平面に放射状に張架された上記固定用ワイヤー２８を介して、例えば、３節目の鉄塔部分１ｃの上端で固定するようにする。
【００６６】
また、図９に示すように、上記マストガイド１６、上記固定用ワイヤー１８、上記補助ガイド２１、上記固定用ワイヤー２２をマスト１４及び鉄塔１からそれぞれ取り外す。なお、これらは、後に上記せり上げ用マスト１４を上昇させる際に、邪魔とならない場合には、取り外さなくてもよい。
【００６７】
そして、上記マスト１４は、該マスト１４の下端に固定された上記マストガイド１７と、該マストガイド１７から所望の距離離間した上方で挿通されたマストガイド２７とにより、安定して支えられるようになる。
【００６８】
なお、上記マスト１４を上記マストガイド１７に固定する代わりに、上記マスト１４を上記マストガイド１７及び上記マストガイド２７の少なくとも一つに固定するようにしてもよい。
【００６９】
また、上記取り外した補助ガイド２１を、上記マストガイド１７と上記マストガイド２７間で、上記マスト１４に挿通すると共に該マスト１４を固定し、上記３節目の鉄塔部分１ｃの上部に放射状に延びる固定用ワイヤー２２により吊下げるようにしてもよい。なお、上記補助ガイド２１及び固定用ワイヤー２２を省略してもよい。
【００７０】
（４節目の鉄塔部分の組立工程）
【００７１】
次に、図１０に示すように、３節目の鉄塔部分１ｃに固定された上記鉄塔組立用治具１３を用いて、上記鉄塔１の３節目の鉄塔部分１ｃの上に４節目の鉄塔部分１ｄを組み立てる。
【００７２】
（鉄塔組立用治具の３節目から４節目の鉄塔部分への上昇工程）
【００７３】
次に、５節目の鉄塔部分を組み立てるために、上記鉄塔組立用治具の２節目から３節目の鉄塔部分への上昇工程と同様に、図１１に示すように、３節目の鉄塔部分１ｃに固定された鉄塔組立用治具１３を、４節目の鉄塔部分１ｄまで上昇させて固定する。
【００７４】
即ち、図１０及び図１１に示すように、マスト１４に固定されている全ての上記マストガイド１７、２７、補助ガイド２１とマスト１４との固定を解除し、上記マストガイド１７、２７、補助ガイド２１とマスト１４とを挿通状態とすると共に、上記ウインチ２０により、せり上げ用ワイヤー２５を介して、上記せり上げ用マスト２３を上昇させて、上記鉄塔１に固定されたマストガイドのうち上から２つのマストガイド１７、２７により、上記マスト１４と上記せり上げ用マスト２３をガイドさせて、上記鉄塔組立用治具１３を上昇させる。
【００７５】
そして、鉄塔１に固定された最上部のマストガイドとなる上記マストガイド２７から更に所望の距離離間した上方の上記マスト１４を挿通する更に上側の他のマストガイド２９を、略水平面に放射状に張架した固定用ワイヤー３０を介して、上記４節目の鉄塔部分１ｄの上部に固定すると共に、上記最上部のマストガイド２７と上記更に上側の他のマストガイド２９との少なくとも一つのマストガイドを、上記マスト１４に固定することにより、上記鉄塔組立用治具１３を鉄塔１に固定するようにする。
【００７６】
また、図１２に示すように、上記マストガイド１７、上記固定用ワイヤー１９、上記補助ガイド２１、上記固定用ワイヤー２２をマスト１４及び鉄塔１からそれぞれ取り外す。なお、これらは、後に上記せり上げ用マスト１４を上昇させる際に、邪魔とならない場合には、取り外さなくてもよい。
【００７７】
そして、上記マスト１４は、鉄塔に固定された上から２つのマストガイド２７、２９とにより、安定して支えられるようになる。
【００７８】
（５節目の鉄塔部分の組立工程）
【００７９】
そして、上記４節目の鉄塔部分に固定された上記鉄塔組立用治具１３を用いて、上記４節目の鉄塔部分の上に５節目の鉄塔部分を組み立てるようにする。
【００８０】
（繰り返し工程）
【００８１】
以後、６節目の鉄塔部分の組み立ても、上記鉄塔組立用治具の３節目から４節目の鉄塔部分への上昇工程と同様に、上記鉄塔組立用治具を４節目から５節目の鉄塔部分に移動して固定し、該鉄塔組立用治具を用いて６節目の鉄塔部分を組み立て、以後、必要な回数だけ、鉄塔組立用治具の上昇工程と、鉄塔組立工程とを順次繰り返し、鉄塔を上方まで組み立てていくようにする。
【００８２】
本発明の鉄塔組立用治具によれば、せり上げ用マストを用いることにより、鉄塔部分に固定する鉄塔組立用治具のブームを高い位置に設置する必要がないので、鉄塔組立に際し、安全性を高めることができる。
【符号の説明】
【００８３】
１      鉄塔
１ａ    鉄塔部分
１ｂ    鉄塔部分
１ｃ    鉄塔部分
１ｄ    鉄塔部分
２      鉄塔組立用治具
３      マスト
４      ブーム
５      マスト基台
６      マストガイド
７      マストガイド
８      固定用ワイヤー
９      固定用ワイヤー
１０    固定用ワイヤー
１１    揚重工具
１１ａ  引き上げワイヤー
１２    ジブクレーン
１３    鉄塔組立用治具
１４    マスト
１５    ブーム
１５ａ  フック
１６    マストガイド
１７    マストガイド
１８    固定用ワイヤー
１９    固定用ワイヤー
２０    ウインチ
２０ａ  操作ワイヤー
２０ｂ  支点
２１    補助ガイド
２２    固定用ワイヤー
２３    せり上げ用マスト
２３ａ  マスト素子
２３ｂ  マスト素子
２３ｃ  マスト素子
２４    スリット
２５    せり上げ用ワイヤー
２６    支点
２７    マストガイド
２８    固定用ワイヤー
２９    マストガイド
３０    固定用ワイヤー
【図１】
2017203358.tif 000003
【図２】
2017203358.tif 000004
【図３】
2017203358.tif 000005
【図４】
2017203358.tif 000006
【図５】
2017203358.tif 000007
【図６】
2017203358.tif 000008
【図７】
2017203358.tif 000009
【図８】
2017203358.tif 000010
【図９】
2017203358.tif 000011
【図１０】
2017203358.tif 000012
【図１１】
2017203358.tif 000013
【図１２】
2017203358.tif 000014
【図１３】
2017203358.tif 000015
【図１４】
2017203358.tif 000016
【図１５】
2017203358.tif 000017